(57)【特許請求の範囲】
【請求項１】
手で握るためのグリップ部と、このグリップ部から直角に延びる直軸部と、この直軸部の先端からフック状になめらかに曲がって延び、手すりベルトの顎部の縁部を抱持することが可能な湾曲部とを一体的に備え、前記直軸部及び湾曲部は金属丸棒からなり、前記湾曲部は、前記直軸部から該直軸部の中心軸線に対して傾斜してその中心軸線の一方側に延び出る根元区間部と、この根元区間部から延び出て円弧状に曲がる曲成区間部と、この曲成区間部から前記中心軸線の他方側でかつ前記グリップ部の配置側に向く斜め方向に傾斜して延び出る先端区間部とからなり、前記先端区間部の先端には球状部が一体に設けられていることを特徴とする乗客コンベアの手すりベルト用脱着工具。
【発明の詳細な説明】
【技術分野】
【０００１】
この発明の実施形態は、エスカレータや動く歩道などの乗客コンベアにおける手すりベルトを脱着する際に使用する乗客コンベアの手すりベルト用脱着工具に関する。
【背景技術】
【０００２】
エスカレータや動く歩道などの乗客コンベアは、無限循環移動して乗客を搬送する多数のステップと、そのステップの両側に設置される欄干と、その欄干の縁部に手すりレールを介して装着され、前記ステップと同期して無限循環移動する無端状の手すりベルトとを備えている。そしてステップの上に乗った乗客が欄干の縁部の手すりベルトに手を掛けることで身体を支えることができる。  
手すりベルトは、弾性を有する合成樹脂材料などにより断面ほぼΩ状に形成され、その開拡部を開いて欄干の手すりレールにスライド可能に嵌着される。
【０００３】
乗客コンベアの保守管理の一つとして、手すりベルトを手すりレールに対して脱着してその手すりレールや手すりベルトを点検する作業がある。手すりベルトの脱着には脱着工具が用いられる。従来の脱着工具は、手で握り持つグリップ部を有し、このグリップ部から直軸部が延び、その直軸部の先端部から直角に曲がる屈曲部が延び出るＬ形状となっている。
【０００４】
そして、手すりベルトを手すりレールから取り外す際には、断面ほぼΩ状の手すりベルトの片側の顎部と手すりレールの側面との間の隙間に脱着工具の屈曲部を押し込み、この脱着工具で顎部を引っ張って変形させながら手すりベルトを手すりレールから離脱させる。
【先行技術文献】
【特許文献】
【０００５】
【特許文献１】特開平８−１０４４８２号公報
【発明の概要】
【発明が解決しようとする課題】
【０００６】
しかしながら、従来の脱着工具は、直軸部から屈曲部が単に直角に延び出る形状であるため、その屈曲部を手すりベルトの顎部と手すりレールの側面との間の隙間に押し込む作業がしずらく、また屈曲部を手すりベルトの顎部に引っ掛けてその顎部を引っ張るときにその引っ掛かりが安定せず、このため作業性が悪く、手間がかかる難点がある。
【０００７】
この発明の実施形態は、このような課題に着目してなされたもので、その目的とするところは、手すりベルトの顎部と手すりレールの側面との間の隙間に押し込む作業や、その顎部を引っ張って手すりレールから離脱させる作業を容易に円滑にかつ安定して行なうことができる脱着工具を提供することにある。
【課題を解決するための手段】
【０００８】
このような課題を解決するために、この発明に係る脱着工具は、手で握るためのグリップ部と、このグリップ部から直角に延びる直軸部と、この直軸部の先端からフック状になめらかに曲がって延び、手すりベルトの顎部の縁部を抱持することが可能な湾曲部とを一体的に備え、前記直軸部及び湾曲部は金属丸棒からなり、前記湾曲部は、前記直軸部から該直軸部の中心軸線に対して傾斜してその中心軸線の一方側に延び出る根元区間部と、この根元区間部から延び出て円弧状に曲がる曲成区間部と、この曲成区間部から前記中心軸線の他方側でかつ前記グリップ部の配置側に向く斜め方向に傾斜して延び出る先端区間部とからなり、前記先端区間部の先端には球状部が一体に設けられていることを特徴としている。
【図面の簡単な説明】
【０００９】
【図１】乗客コンベアとしてのエスカレータの全体の外観を示す斜視図。
【図２】図１中のＡ−Ａ線に沿う断面図。
【図３】この発明の一実施形態に係る脱着工具を示し、（Ａ）は脱着工具の側面図、（Ｂ）は同じく正面図。
【図４】その脱着工具で手すりベルトを取り外すときの手順を順に示す断面図。
【図５】その脱着工具で手すりベルトを取り外すときの手順を順に示す斜視図。
【発明を実施するための形態】
【００１０】
以下、この発明の実施の形態について図面を参照して説明する。
【００１１】
図１には、乗客コンベアとしてのエスカレータを示してある。このエスカレータは、互いに隣接して無端状に連結された複数の乗客搬送用のステップ１を有し、これらステップ１が建屋の下階と上階との間で無限循環移動することで乗客が搬送される。
【００１２】
ステップ１の両側には欄干２が配置され、これら欄干２の縁部に走行可能に無端状の手すりベルト３が装着され、これら手すりベルト３がステップ１と同期して無限循環移動する。手すりベルト３は、合成ゴムなどの弾性材料で形成されている。
【００１３】
図２には図１中のＡ−Ａ線に沿う断面図を示してあり、欄干２の縁部にはその長手方向に沿って手すりレール４が取り付けられ、この手すりレール４を介して欄干２の縁部に手すりベルト３が装着されている。手すりレール４は、欄干２の縁部に嵌合する嵌合溝５を有する主部６と、この主部６の上部両側から欄干２の両面側外方に向って突出する鍔部７とを一体的に備える断面ほぼＴ形状をなしている。この手すりレール４は例えば金属材料で形成されている。
【００１４】
手すりベルト３は、上部の帯状部９と、この帯状部９の両側から円弧状に曲がって帯状部９の下側に延びる顎部１０とを一体に備える断面ほぼ扁平なΩ形状をなし、帯状部９の下側に延びる一方の顎部１０と他方の顎部１０は対称的に配置してその先端端面が互いに対向し、その対向間が開放部１１となっている。
【００１５】
そしてこの手すりベルト３は、帯状部９が手すりレール４の上に乗り、両側の顎部１０が手すりレール４の両側の鍔部７を抱え込み、かつ両側の顎部１０の端面が手すりレール４の主部６の側面に近接する状態で、手すりレール４に摺動可能に装着されている。
【００１６】
図３には、手すりベルト３を脱着するための脱着工具１５を示してある。図３（Ａ）は脱着工具１５の側面図、図３（Ｂ）は脱着工具１５の正面図である。この脱着工具１５は、手で握り持つためのグリップ部１６を有し、このグリップ部１６の中間部から直角に直軸部１７が延び、さらにその直軸部１７の先端部からフック状に曲がる湾曲部１８が延び、かつその湾曲部１８の先端に球状部１９が一体的に形成された形状となっている。
【００１７】
湾曲部１８は、直軸部１７から延び出る根元区間部１８ａと、この根元区間部１８ａから延び出て円弧状に曲がる曲成区間部１８ｂと、この曲成区間部１８ｂから延び出る先端区間部１８ｃとからなり、先端区間部１８ｃの先端に球状部１９が形成されている。根元区間部１８ａ及び先端区間部１８ｃはほぼ直線状に延び、例えば根元区間部１８ａは直軸部１７の中心軸線に対して２５°程度の角度θで傾斜し、曲成区間部１８ｂの曲率半径Ｒは１５ｍｍ程度である。
【００１８】
そして、直軸部１７の中心軸線を基準にして、湾曲部１８の根元区間部１８ａ及び曲成区間部１８ｂがその一方側に、先端区間部１８ｃの大半が他方側に配置する関係にあり、先端区間部１８ｃはグリップ部１６の配置側に向く斜め下方に傾斜して延び出ている。また、グリップ部１６は直径１２ｍｍ程度の金属丸棒、直軸部１７及び湾曲部１８は直径６ｍｍ程度の金属丸棒で、湾曲部１８の先端部は先細状に直径が減少し、その先端の球状部１９が直径６ｍｍ程度の金属の球体となっている。
【００１９】
この脱着工具１５を用いて手すりベルト３を手すりレール４から取り外す手順について図４及び図５を参照して説明する。まず、作業員が脱着工具１５のグリップ部１６を手で握り、図４（Ａ）及び図５（Ａ）に示すように、欄干２の一方面側から脱着工具１５の先端の球状部１９を手すりレール４の主部６の側面と、手すりベルト３の顎部１０の端面との間の隙間に向けて宛がい、さらに図４（Ｂ）に示すように先端区間部１８ｃを顎部１０の弾性力に抗して前記隙間内に押し込み、球状部１９を顎部１０の内側に突出させる。
【００２０】
脱着工具１５の先端区間部１８ｃを手すりレール４の主部６の側面と、手すりベルト３の顎部１０の端面との間の隙間に押し込む際には、脱着工具１５の先端部を顎部１０の下側から上側に移動させるわけであるが、この脱着工具１５は先端側がフック状に湾曲しており、このため先端区間部１８ｃが下から上に向く姿勢のときに、直軸部１７が斜め上方に傾斜する状態となり、したがってグリップ部１６を握って脱着工具１５を斜め上方に引き上げることで、先端区間部１８ｃを主部６の側面と手すりベルト３の顎部１０の端面との間に容易かつ円滑に押し込んでその先端の球状部１９を顎部１０の内側に突出させることができる。そして先端区間部１８ｃの先端には球状部１９が設けられているから、手すりベルト３の顎部１０を損傷することもない。
【００２１】
従来の脱着工具においては、直軸部に対して先端部が直角に曲がっており、このため先端の屈曲部を下から上に向けたときには、直軸部がほぼ水平となり、このため直軸部のグリップ部を握ったままの状態で屈曲部を押し上げることが困難で、屈曲部の下端側に手を当てて押し上げなければならず、このため作業が面倒で能率性に欠け、手間がかかってしまう。
【００２２】
これに対し、この発明の実施形態の脱着工具１５においては、上述のようにグリップ部１６を握った手で脱着工具１５を斜め上方に引き上げるだけで、容易に能率よく先端区間部１８ｃを主部６の側面と手すりベルト３の顎部１０の端面との間の隙間に押し込んで球状部１９を顎部１０の内側に突出させることができる。
【００２３】
球状部１９を顎部１０の内側に突出させ後には、図４（Ｃ）に示すように直軸部１７を下方に押し下げ、ほぼ水平の状態に移行させる。これにより顎部１０の先端側縁部が脱着工具１５の湾曲部１８の内側に入り込み、顎部１０の先端側縁部が湾曲部１８により抱え込まれる抱持状態となる。
【００２４】
この状態から脱着工具１５を手すりベルト３の側縁外方側に向けて引っ張る。これにより、手すりベルト３の一方の顎部１０が手すりレール４の主部６から離れる方向に弾性的に変形し、開放部１１が拡がる。さらにこの状態から図４（Ｄ）に示すように直軸部１７を斜め上方に向け、脱着工具１５を斜め上方に引っ張る。これにより顎部１０がさらに弾性的に拡開するように変形し、手すりベルト３の鍔部７から顎部１０が外れる。そしてこの状態を保持しながら、図５（Ｂ）に示すように脱着工具１５を手すりベルト３の長手方向に沿って移動させる。この移動により、手すりベルト３の他の部分の顎部１０が脱着工具１５に押されて順次手すりレール４の鍔部７から離脱する。
【００２５】
このような操作で、手すりベルト３の所要区間に渡る部分の手すりベルト３の一方側の顎部１０を手すりレール４の一方側の鍔部７から離脱させる。この後、その所要区間における手すりベルト３の他方側の顎部１０を手作業により手すりレール４の他方側の鍔部７から外す。この際、手すりベルト３の一方側の顎部１０が一方側の鍔部７から既に外れて緩んでいるから、他方側の顎部１０は手作業で容易に外すことができる。
【００２６】
このようにして、所要区間に渡って、手すりベルト３の両側の顎部１０を手すりレール４の両側の鍔部７から外すことで、所要区間の手すりベルト３と手すりレール４とを完全に分離させて手すりベルト３や手すりレール４に対する保守点検などの作業を実施することができる。
【００２７】
ところで、脱着工具１５で手すりベルト３の顎部１０を手すりベルト３の側縁外方側に引っ張って弾性的に変形させるときに、この発明の実施形態の脱着工具１５においては、顎部１０の先端側の縁部が湾曲部１８の内側に配置してその湾曲部１８で抱き込まれた抱持状態にあり、このため脱着工具１５と顎部１０との引っ掛かりが安定し、脱着工具１５の湾曲部１８から顎部１０が不用意に離脱するようなことがなく、したがって的確に顎部１０を弾性的に変形させることができる。
【００２８】
従来の脱着工具においては、直軸部と屈曲部とが共に直線状でその相互が直角に交わるＬ形状であるから、脱着工具を引っ張って顎部を弾性的に変形させるときに、顎部１０が屈曲部から離脱し、的確に顎部１０を変形させることが困難となる恐れがある。
【００２９】
この発明の実施形態の脱着工具１５においては、このような恐れがなく、容易に能率よくかつ的確に顎部１０を弾性的に変形させてその顎部１０を手すりレール４から分離させることができる。
【００３０】
一方、手すりベルト３を手すりレール４に取り付けるときには、取り外しの逆順操作を行なえばよい。すなわち、まず手すりベルト３の一方側の顎部１０を手作業で手すりレール４の一方側の鍔部７に嵌め込み、次に他方側の顎部１０の先端側縁部に脱着工具１５の湾曲部１８を掛け、この脱着工具１５で顎部１０を引っ張って弾性的に拡開するように変形させながら顎部１０を手すりレール４の鍔部７に嵌め込んで取り付ける。
【００３１】
なお、前記実施形態では、エスカレータの手すりベルトを対象として説明したが、エスカレータの手すりベルトに限らず、動く歩道などの他の乗客コンベアの手すりベルトにこの発明の実施形態を適用することも可能である。すなわち、前記実施形態は、例として提示したものであり、発明の範囲を限定することは意図していない。この発明の新規な実施形態は、その他の様々な形態とすることが可能であり、発明の要旨を逸脱しない範囲で、種々の省略、置き換え、変更を行なうことができる。その実施形態やその変形は、発明の範囲や要旨に含まれるとともに、特許請求の範囲に記載された発明とその均等の範囲に含まれる。
【符号の説明】
【００３２】
１…ステップ
２…欄干
３…手すりベルト
４…手すりレール
６…主部
７…鍔部
９…帯状部
１０…顎部
１５…脱着工具
１６…グリップ部
１７…直軸部
１８…湾曲部
１８ａ…根元区間部
１８ｂ…曲成区間部
１８ｃ…先端区間部
１９…球状部
【図１】
0005518916.tif 000002
【図２】
0005518916.tif 000003
【図３】
0005518916.tif 000004
【図４】
0005518916.tif 000005
【図５】
0005518916.tif 000006